【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
複数の方向と複数の振幅との少なくとも一方を備える拡散強調傾斜磁場パルスを有する複数の割り込み拡散強調セグメントと投影収集セグメントとを有する第１のシーケンスにより被検体に関する拡散強調プレスキャン投影データを収集し、
前記拡散強調傾斜磁場パルスを停止した状態で前記第１のシーケンスにより参照プレスキャン投影データを収集し、
前記拡散強調プレスキャンによる投影データと前記参照プレスキャンによる投影データとを比較して、前記拡散強調傾斜磁場パルスにより誘導される渦電流の影響を特徴付ける渦電流パラメータを決定し、
前記渦電流パラメータに基づいて前記第１のシーケンスを調整して、画像収集セグメントと、前記第２のシーケンスは複数の方向と複数の振幅との少なくとも一方を備える前記複数の割り込み拡散強調セグメントとを含む第２のシーケンスを形成し、
前記第２のシーケンスを使って前記被検体に関する画像データを収集し、
前記収集された画像データを使って前記被検体に関する画像を発生することを特徴とする拡散磁気共鳴イメージング（ＤＭＲＩ）方法。
【請求項２】
拡散強調傾斜磁場パルスを有する拡散強調セグメントと投影収集セグメントとを有する第１のシーケンスにより被検体に関する拡散強調プレスキャン投影データを収集し、
前記拡散強調傾斜磁場パルスを停止した状態で前記第１のシーケンスにより参照プレスキャン投影データを収集し、
前記拡散強調プレスキャンによる投影データと前記参照プレスキャンによる投影データとを比較して、前記拡散強調傾斜磁場パルスにより誘導される渦電流の影響を特徴付ける渦電流パラメータを決定し、
前記渦電流パラメータに基づいて前記第１のシーケンスを調整して、画像収集セグメントを含む第２のシーケンスを形成し、
前記第１のシーケンスの前記投影収集セグメントの代わりに、前記第２のシーケンスの前記画像収集セグメントを設け、
定常状態を設けるために用いられる前記第１のシーケンスの中の少なくとも一つのダミーステップを削除し、
前記第２のシーケンスを用いて前記被検体のイメージデータを収集し、
前記収集したイメージデータにより前記被検体のイメージを発生することを特徴とする拡散磁気共鳴イメージング（ＤＭＲＩ）方法。
【請求項３】
前記第１のシーケンスと前記第２のシーケンスに割り込まれる複数の拡散強調測定を実行することを特徴とする請求項２記載の方法。
【請求項４】
前記複数の拡散強調測定は、順次繰り返され、
又は
前記複数の拡散強調測定は、一のブロックに割り込まれ、
又は
前記複数の拡散強調測定は、複数のブロックに割り込まれることを特徴とする請求項３記載の方法。
【請求項５】
前記プレスキャンシーケンスの投影方向と前記拡散強調セグメントの方向とは等価であることを特徴とする請求項２記載の方法。
【請求項６】
前記投影収集セグメントには位相エンコード傾斜磁場パルスがないことを特徴とする請求項２記載の方法。
【請求項７】
前記投影収集セグメントにはスライスエンコード傾斜磁場パルスがないことを特徴とする請求項２記載の方法。
【請求項８】
拡散強調傾斜磁場パルスを有する拡散強調セグメントと投影収集セグメントとを有する第１のシーケンスにより被検体に関する拡散強調プレスキャン投影データを収集し、
前記拡散強調傾斜磁場パルスを停止した状態で前記第１のシーケンスにより参照プレスキャン投影データを収集し、
前記拡散強調プレスキャンによる投影データと前記参照プレスキャンによる投影データとを比較して、前記拡散強調傾斜磁場パルスにより誘導される渦電流の影響を特徴付ける渦電流パラメータを決定し、前記渦電流パラメータには、傾斜磁場モーメント（ΔＭＥ）と、傾斜磁場オフセット（ΔＧＥ）と、周波数シフト（ΔｆＥ）とが含まれ、
前記渦電流パラメータに基づいて前記第１のシーケンスを調整して、画像収集セグメントを含む第２のシーケンスを形成し、
前記第２のシーケンスを使って前記被検体に関する画像データを収集し、
前記収集された画像データを使って前記被検体に関する画像を発生することを特徴とする拡散磁気共鳴イメージング（ＤＭＲＩ）方法。
【請求項９】
前記傾斜磁場モーメント（ΔＭＥ）は、前記参照プレスキャン投影データに対する前記拡散強調プレスキャン投影データのエコー中心のずれと、読み出し傾斜磁場の強度とから求められることを特徴とする請求項８記載の方法。
【請求項１０】
前記傾斜磁場オフセット（ΔＧＥ）は、読み出し傾斜磁場の強度と、拡大率から１を引いた値とから求められることを特徴とする請求項８記載の方法。
【請求項１１】
前記周波数シフト（ΔｆＥ）は、読み出しサンプリングの帯域幅と、前記投影プロファイル長に対する投影シフトの比とから求められることを特徴とする請求項８記載の方法。
【請求項１２】
拡散強調傾斜磁場パルスを有する拡散強調セグメントと投影収集セグメントとを有する第１のシーケンスにより被検体に関する拡散強調プレスキャン投影データを収集し、
前記拡散強調傾斜磁場パルスを停止した状態で前記第１のシーケンスにより参照プレスキャン投影データを収集し、
前記拡散強調プレスキャンによる投影データと前記参照プレスキャンによる投影データとを比較して、前記拡散強調傾斜磁場パルスにより誘導される渦電流の影響を特徴付ける渦電流パラメータを決定し、
前記渦電流パラメータに基づいて前記第１のシーケンスを調整して、画像収集セグメントを含む第２のシーケンスを形成し、前記第２のシーケンスを調整するために、次の式に示す補償傾斜磁場調整モーメント（ΔＭｃｏｍｐ）を導入し、なおＴｐｅａｋは収集ウインドウの始点からエコー信号の予測ピーク位置までの時間間隔であり、
【数１】
2007068996.tif 000001
前記画像データの読み出し期間中に次の式に示す補償傾斜磁場オフセット（ΔＧｒｏ）を導入し、
【数２】
2007068996.tif 000002
前記画像データの読み出し期間中に次の式に示す受信周波数オフセット（Δｆｒｏ）を導入する
【数３】
2007068996.tif 000003
前記第２のシーケンスを使って前記被検体に関する画像データを収集し、
前記収集された画像データを使って前記被検体に関する画像を発生することを特徴とする拡散磁気共鳴イメージング（ＤＭＲＩ）方法。
【請求項１３】
拡散磁気共鳴イメージング期間中に拡散強調シーケンスにより誘導される渦電流を補償する方法において、
複数の方向と複数の振幅との少なくとも一方を備える拡散強調傾斜磁場パルスを有する複数の割り込み拡散強調セグメントと、投影収集セグメントとを有する第１のシーケンスにより被検体に関する拡散強調プレスキャン投影データを収集し、
前記拡散強調傾斜磁場パルスを印加しない状態で前記第１のシーケンスにより参照プレスキャン投影データを収集し、
前記拡散強調プレスキャン投影データと前記参照プレスキャン投影データとを比較して、前記拡散強調傾斜磁場パルスにより誘導される渦電流の影響を特徴付ける渦電流パラメータを決定し、
前記渦電流パラメータに関するアカウントを調整した前記第１のシーケンスに基づいて画像収集セグメントを含む第２のシーケンスを形成し、前記第２のシーケンスは複数の方向と複数の振幅との少なくとも一方を前記第１のシーケンスの拡散強調セグメントと同じオーダーで備える拡散強調傾斜磁場パルスを有する複数の割り込み拡散強調セグメントを有し、
前記第２のシーケンスを使って前記被検体に関する画像データを収集し、
前記収集された画像データを使って前記被検体に関する画像を発生することを特徴とする方法。
【請求項１４】
拡散磁気共鳴イメージング期間中に拡散強調シーケンスにより誘導される渦電流を補償する方法において、
拡散強調傾斜磁場パルスを有する拡散強調セグメントと、投影収集セグメントとを有する第１のシーケンスにより被検体に関する拡散強調プレスキャン投影データを収集し、
前記拡散強調傾斜磁場パルスを印加しない状態で前記第１のシーケンスにより参照プレスキャン投影データを収集し、
前記拡散強調プレスキャン投影データと前記参照プレスキャン投影データとを比較して、前記拡散強調傾斜磁場パルスにより誘導される渦電流の影響を特徴付ける渦電流パラメータを決定し、
前記渦電流パラメータに関するアカウントを調整した前記第１のシーケンスに基づいて画像収集セグメントを含む第２のシーケンスを形成し、前記第２のシーケンスは、前記第２のシーケンスの前記画像収集セグメントが前記第１のシーケンスの前記投影収集セグメントに置き換わっている点と、定常状態を得るための前記第１のシーケンス中の少なくとも一つのダミーステップが前記第２のシーケンスからは削除されている点とに関して前記第１のシーケンスと相違する、
前記第２のシーケンスを使って前記被検体に関する画像データを収集し、
前記収集された画像データを使って前記被検体に関する画像を発生することを特徴とする方法。
【請求項１５】
前記第１のシーケンスと前記第２のシーケンスに割り込んで複数の拡散強調測定を実行することを特徴とする請求項１４記載の方法。
【請求項１６】
前記複数の拡散強調測定は、順次繰り返され、
又は
前記複数の拡散強調測定は、一のブロックに一つ割り込まれ、
又は
前記複数の拡散強調測定は、複数のブロックに割り込まれることを特徴とする請求項１５記載の方法。
【請求項１７】
前記プレスキャンシーケンスの投影方向と前記拡散強調セグメントの方向とは等価であることを特徴とする請求項１４記載の方法。
【請求項１８】
前記投影収集セグメントには位相エンコード傾斜磁場パルスがないことを特徴とする請求項１４記載の方法。
【請求項１９】
前記投影収集セグメントにはスライスエンコード傾斜磁場パルスがないことを特徴とする請求項１４記載の方法。
【請求項２０】
拡散磁気共鳴イメージング期間中に拡散強調シーケンスにより誘導される渦電流を補償する方法において、
拡散強調傾斜磁場パルスを有する拡散強調セグメントと、投影収集セグメントとを有する第１のシーケンスにより被検体に関する拡散強調プレスキャン投影データを収集し、
前記拡散強調傾斜磁場パルスを印加しない状態で前記第１のシーケンスにより参照プレスキャン投影データを収集し、
前記拡散強調プレスキャン投影データと前記参照プレスキャン投影データとを比較して、前記拡散強調傾斜磁場パルスにより誘導される渦電流の影響を特徴付ける渦電流パラメータを決定し、前記渦電流パラメータには、傾斜磁場モーメント（ΔＭＥ）と、傾斜磁場オフセット（ΔＧＥ）と、周波数シフト（ΔｆＥ）とが含まれる、
前記渦電流パラメータに関するアカウントを調整した前記第１のシーケンスに基づいて画像収集セグメントを含む第２のシーケンスを形成し、
前記第２のシーケンスを使って前記被検体に関する画像データを収集し、
前記収集された画像データを使って前記被検体に関する画像を発生することを特徴とする方法。
【請求項２１】
前記傾斜磁場モーメント（ΔＭＥ）は、前記参照プレスキャン投影データに対する前記拡散強調プレスキャン投影データのエコー中心のずれと、読み出し傾斜磁場の強度とから求められることを特徴とする請求項２０記載の方法。
【請求項２２】
前記傾斜磁場オフセット（ΔＧＥ）は、読み出し傾斜磁場の強度と、拡大率から１を引いた値とから求められることを特徴とする請求項２０記載の方法。
【請求項２３】
前記周波数シフト（ΔｆＥ）は、読み出しサンプリングの帯域幅と、前記投影プロファイル長に対する投影シフトの比率とから求められることを特徴とする請求項２０記載の方法。
【請求項２４】
拡散磁気共鳴イメージング期間中に拡散強調シーケンスにより誘導される渦電流を補償する方法において、
拡散強調傾斜磁場パルスを有する拡散強調セグメントと、投影収集セグメントとを有する第１のシーケンスにより被検体に関する拡散強調プレスキャン投影データを収集し、
前記拡散強調傾斜磁場パルスを印加しない状態で前記第１のシーケンスにより参照プレスキャン投影データを収集し、
前記拡散強調プレスキャン投影データと前記参照プレスキャン投影データとを比較して、前記拡散強調傾斜磁場パルスにより誘導される渦電流の影響を特徴付ける渦電流パラメータを決定し、
前記渦電流パラメータに関するアカウントを調整した前記第１のシーケンスに基づいて画像収集セグメントを含む第２のシーケンスを形成するとともに、前記第１のシーケンスを調整し、この調整では、
次の式に示す補償傾斜磁場調整モーメント（ΔＭｃｏｍｐ）を導入し、なおＴｐｅａｋは収集ウインドウの始点からエコー信号の予測ピーク位置までの時間間隔であり、
【数４】
2007068996.tif 000004
前記画像データの読み出し期間中に次の式に示す補償傾斜磁場オフセット（ΔＧｒｏ）を導入し、
【数５】
2007068996.tif 000005
前記画像データの読み出し期間中に次の式に示す受信周波数オフセット（Δｆｒｏ）を導入する
【数６】
2007068996.tif 000006
前記第２のシーケンスを使って前記被検体に関する画像データを収集し、
前記収集された画像データを使って前記被検体に関する画像を発生することを特徴とする方法。
【請求項２５】
静磁場磁石と、
直交傾斜磁場を発生する複数の傾斜磁場コイルと、
ＲＦパルスシーケンスを発生するとともに、被検体からのＲＦ共鳴信号を収集するための少なくとも一つのＲＦコイルと、
前記傾斜磁場コイルと前記ＲＦコイルとを制御してパルスシーケンスを実行するパルスシーケンスコントローラと、
複数の方向と複数の振幅との少なくとも一方を備える拡散強調傾斜磁場パルスを有する複数の割り込み拡散強調セグメントと投影収集セグメントとを有するプレスキャンシーケンスで投影データを収集するためのプログラムにより前記パルスシーケンスコントローラを制御するプログラマブルプロセッサとを具備し、
前記プログラマブルプロセッサは、プレスキャン投影データから前記拡散強調傾斜磁場パルスにより誘導される渦電流の影響を特徴付ける渦電流パラメータを決定し、
前記プログラマブルプロセッサは、前記割り込み拡散強調セグメントと画像収集セグメントとを有する第２のシーケンスを調整し、前記割り込み拡散強調セグメントは前記第１のシーケンスと同じオーダーで複数の方向と複数の振幅との少なくとも一方を備える、
前記プログラマブルプロセッサは、前記調整された第２のシーケンスを実行して拡散強調画像データを収集し、前記収集された拡散強調画像データを処理して画像を発生することを特徴とする拡散磁気共鳴イメージングシステム。